(57)【要約】【課題】搬送および設置作業等を容易に行うことができるとともに、簡単な構成で優れた耐久性を有するコンテナ式汚水浄化システムを提供する。【解決手段】トイレルーム１２等から排出された汚水を段階的に浄化する複数の浄化処理室１６〜２０を備えた汚水浄化槽３と、この汚水浄化槽３を収容するコンテナ１とを有し、このコンテナ１の内壁面と上記汚水浄化槽３の周壁面との間に形成された空隙部に発泡プラスチック材８が充填された。【選択図】図１
2008289969.tif 000002
【特許請求の範囲】
【請求項１】
トイレルーム等から排出された汚水を段階的に浄化する複数の浄化処理室を備えた汚水浄化槽と、この汚水浄化槽を収容するコンテナとを有し、このコンテナの内壁面と上記汚水浄化槽の周壁面との間に形成された空隙部に発泡プラスチック材が充填されたことを特徴とするコンテナ式汚水浄化システム。
【請求項２】
上記コンテナの内部に汚水浄化システムの付属機器が設置されるとともに、コンテナ内に注入された発泡プラスチック材が上記付属機器の設置部に進入するのを規制する規制部材が設けられたことを特徴とする請求項１記載のコンテナ式汚水浄化システム。
【請求項３】
汚水浄化槽の上面に形成されたメインテナンス用開口部の設置部と略同一高さまで発泡プラスチック材が充填されたことを特徴とする請求項１または２に記載のコンテナ式汚水浄化システム。
【請求項４】
太陽電池を有するソーラーパネルが上記コンテナの上面部に設けられたことを特徴とする請求項１〜４のいずれか１項に記載のコンテナ式汚水浄化システム。
【請求項５】
上記コンテナの四隅に設けられた支柱の上部に、風力発電設備が設けられたことを特徴とする請求項１〜４のいずれか１項に記載のコンテナ式汚水浄化システム。
【発明の詳細な説明】
【技術分野】
【０００１】
本発明は、トイレ等から排出された汚水を迅速かつ高度に浄化処理するコンテナ式汚水浄化システムを洗浄するコンテナ式汚水浄化システムに関するものである。
【背景技術】
【０００２】
従来、例えば特許文献１に示されるように、カキ殻を接触材として汚水をばっ気処理する第１ばっ気室と、同第１ばっ気室の溢水を多孔質の人工櫨材に接触させて嫌気分解処理を行う嫌気ろ床室と、同嫌気ろ床室で浄化された汚水を流入してカキ殻を接触材としてばっ気処理する第２ばっ気室と、同第２ばっ気室で浄化された水を流入し活性炭に接触させて脱色・脱臭の高度処理を行う仕上げ処理室を設けるとともに、さらに汚水を沈殿分離する沈殿分離室と、同沈殿分離された汚水の液体を流入して接触ばっ気する接触ばっ気室と、同接触ばっ気室で接触ばっ気処理した汚水を蓄えて第１ばっ気室に送り込む沈殿室とを第１ばっ気室に流入する汚水の前処理室として設けた高度処理浄化槽からなる汚水浄化槽が知られている。
【特許文献１】特許第２７５６６５７号公報
【発明の開示】
【発明が解決しようとする課題】
【０００３】
上記特許文献１に開示された汚水浄化槽は、かなりの重量物であるため、上記汚水浄化槽を工場で製造した後に、搬送用車両または船舶等により設置現場まで搬送する必要があり、その際に上記汚水浄化槽に設けられた配管類等からなる種々の付属機器が破損しないように注意して取り扱う必要がある。そして、上記汚水浄化槽を地中に埋設して使用する場合には、その設置作業が繁雑であるという問題がある。なお、上記汚水浄化槽を地上に立設した状態で使用することにより、その設置作業を容易化することも考えられるが、この場合には、上記汚水浄化槽が風雨に曝されて錆等が発生し易いため、耐久性が劣る等の問題がある。
【０００４】
本発明は、上記の点に鑑みてなされたものであり、搬送および設置作業等を容易に行うことができるとともに、簡単な構成で優れた耐久性を有するコンテナ式汚水浄化システムを提供することを目的としている。
【課題を解決するための手段】
【０００５】
請求項１に係る発明は、トイレルーム等から排出された汚水を段階的に浄化する複数の浄化処理室を備えた汚水浄化槽と、この汚水浄化槽を収容するコンテナとを有し、このコンテナの内壁面と上記汚水浄化槽の周壁面との間に形成された空隙部に発泡プラスチック材が充填されたものである。
【０００６】
請求項２に係る発明は、上記請求項１記載のコンテナ式汚水浄化システムにおいて、上記コンテナの内部に汚水浄化システムの付属機器が設置されるとともに、コンテナ内に注入された発泡プラスチック材が上記付属機器の設置部に進入するのを規制する規制部材が設けられたものである。
【０００７】
請求項３に係る発明は、上記請求項１または２に記載のコンテナ式汚水浄化システムにおいて、汚水浄化槽の上面に形成されたメインテナンス用開口部の設置部と略同一高さまで発泡プラスチック材が充填されたものである。
【０００８】
請求項４に係る発明は、上記請求項１〜４のいずれか１項に記載のコンテナ式汚水浄化システムにおいて、太陽電池を有するソーラーパネルが上記コンテナの上面部に設けられたものである。
【０００９】
請求項５に係る発明は、上記請求項１〜４のいずれか１項に記載のコンテナ式汚水浄化システムにおいて、上記コンテナの四隅に設けられた支柱の上部に、風力発電設備が設けられたものである。
【発明の効果】
【００１０】
請求項１に係る発明では、工場で製造された汚水浄化槽がコンテナ内に配設されてその周囲が上記発泡プラスチック材で覆われているため、上記汚水浄化槽をコンテナ内に設置した状態で、これを搬送用車両または船舶等により設置現場まで搬送する際に、上記発泡プラスチック材の緩衝作用により上記汚水浄化槽およびこれに付属する配管類等からなる種々の付属機器が破損するのを効果的に防止できる。しかも、上記汚水浄化槽が配設されたコンテナを地上に載置するだけで、コンテナ式汚水浄化システムを簡単に構築することができるとともに、上記コンテナの保護作用により汚水浄化槽に錆等が発生するのを効果的に防止できるため、優れた耐久性が得られるという利点がある。
【００１１】
請求項２に係る発明では、コンテナ内に発泡プラスチック材を注入する際に、この発泡プラスチック材が上記付属機器の設置部に進入するのを上記規制部材により規制することができるため、上記発泡プラスチック材の注入時に、上記付属機器の設置部を被覆材で覆う等の繁雑な作業を要することなく、この付属機器に発泡プラスチック材が付着するのを効果的に防止できるという利点がある。
【００１２】
請求項３に係る発明では、上記コンテナおよび発泡プラスチック材からなる被覆層の両方により上記汚水浄化槽の略全体を保護することができるため、この汚水浄化槽に錆等が発生するのを、より効果的に防止して優れた保温性が得られるという利点がある。
【００１３】
請求項４に係る発明では、地震等からなる災害の発生時または商用電力の供給施設がない地域においても、上記ソーラーパネルにより得られた電力を利用して上記ブロア、循環ポンプおよび給水ポンプ等からなる汚水浄化システムの付属機器を作動させることができる。
【００１４】
請求項５に係る発明では、コンテナの重量および強度を利用することにより、煩雑な基礎工事等を必要とすることなく、上記風力発電設備を設置することができ、上記汚水浄化システムの付属機器等を作動させるために必要な電力が得られるという利点がある。
【発明を実施するための最良の形態】
【００１５】
図１〜図３は、本発明に係るコンテナ式汚水浄化システムの実施形態を示している。このコンテナ式汚水浄化システムは、搬送用車両、船舶または鉄道等による搬送を容易に行い得るようにその大きさおよび形状が規格化され、かつ鋼板材もしくはアルミニウム合金材等により形成された箱状体からなる第１，第２コンテナ１，２を有している。
【００１６】
上記第１コンテナ１内には、鋼板材、アルミニウム合金材、ステンレス鋼材、プラスチック材、ＰＣ（プレストレスコンクリート）材、鉄筋コンクリート材、ＦＲＰ（繊維強化プラスチック材）材またはプラスチック材等により形成されるとともに複数の浄化処理室等を備えた汚水浄化槽３と、後述するブロア４、循環ポンプ５および給水ポンプ６等からなる汚水浄化システムの付属機器が載置される架台７とが配設されている。
【００１７】
上記第１コンテナ１内には、汚水浄化槽３が設置された状態で、ポリスチレン、ポリウレタン、またはポリエチレン等を原料とした発泡プラスチック材８が注入されることにより、この第１コンテナ１の内壁面と汚水浄化槽３の周壁面との間に形成された空隙部に上記発泡プラスチック材８が充填されている。この実施形態では、上記発泡プラスチック材８により汚水浄化槽３の下方部が被覆されるように上記発泡プラスチック材８の充填量が設定されている。また、上記架台７は、その上面部が発泡プラスチック材８の充填高さよりも上方に位置するように配設されることにより、上記第１コンテナ１内に注入された発泡プラスチック材８が付属機器の設置部に進入するのを規制する規制部材としての機能を有している。
【００１８】
上記第２コンテナ２内には、便器９，１０および洗面台１１が設置されたトイレルーム１２と、上記汚水浄化槽３において浄化処理された浄化水を貯留する余剰水貯留槽１３とが配設されている。上記トイレルーム１２と余剰水貯留槽１３の設置部とは区画壁１４により区画され、かつこの区画壁１４により区画された上記余剰水貯留槽１３の設置部内に発泡プラスチック材１５が注入されることにより、上記第２コンテナ２の内壁面と余剰水貯留槽１３の周壁面との間に形成された空隙部に上記発泡プラスチック材１５が充填されている。
【００１９】
上記汚水浄化槽３には、最上流部に位置する沈殿分離室または嫌気濾床室等からなる第１浄化処理室１６と、その下流側に位置する接触ばっ気処理室または担体流動室等からなる第２浄化処理室１７と、その下流側に位置する沈殿室からなる第３浄化処理室１８と、その下流側に位置する接触濾過室等からなる第４浄化処理室１９と、この第４浄化処理室１９の下流側に位置する沈殿濾過室等からなる第５浄化処理室２０と、この第５浄化処理室２０から導出された処理水を脱色処理して貯留する浄化水貯留室２１とが設けられている。
【００２０】
上記第１浄化処理室１６は、第２コンテナ２のトイレルーム１２に設けられた汚水タンク１２ａ内から排出管２２を介して導出された汚泥成分を含有する汚水中の紙および粗大異物等の汚泥成分を沈殿・分離させる等により処理した後、この処理水を上記第２浄化処理室１７にオーバフローさせて導出するとともに、この第２浄化処理室１７に浮遊物が流失するのをバッフルプレート２３により阻止するように構成されている。なお、上記第１浄化処理室１６において沈殿した固形分は、定期的（例えば１年毎）に外部に吸い出されて処理される。
【００２１】
図４に示すように、上記第２浄化処理室１７には、例えば従来周知のプラスチック材製接触材２４が充填されるとともに、上記ブロア４から供給された空気を放出する散気管２５が上記プラスチック材製接触材２４の下方に配設されている。そして、上記第１浄化処理室１６の上部からオーバフローすることにより第２浄化処理室１７内に導入された処理水が、上記ブロア４から散気管２５を介して供給された空気によって撹拌されつつ、上記プラスチック材製接触材２４に付着して生息した微生物により、上記分離水中の汚泥成分が分解処理されるとともに、濾過膜材により濾過処理されるようになっている。
【００２２】
また、上記第２浄化処理室１７と第３浄化処理室１８との間には、連通路２６が下端部に設けられ、第２浄化処理室１７内において浄化処理された処理水は、上記連通路２６を介して第３浄化処理室１８（沈殿室）内に導入されることにより、沈殿処理される。この第３浄化処理室１８内において沈殿処理された処理水は、導出管２７を介して上記第４浄化処理室１９および第５浄化処理室２０内にオーバフローすることにより導入される。
【００２３】
上記第４浄化処理室（接触濾過室）１９内には、例えばメッシュ状の袋体内にカキ、ホタテ貝、ホッキ貝、真珠貝、アサリ、シジミ、はまぐり、アオヤギ、カラス貝、サザエ、ミル貝もしくは貝化石等からなる貝殻、または死滅して白化した珊瑚が収容された貝殻・珊瑚製の接触材２８が充填されるとともに、その下方にブロアから供給された空気を放出する散気管２９が配設されている。そして、上記第３浄化処理室１８の下端部から第４浄化処理室１９内に導入された処理水は、散気管２９から放出された空気によって撹拌されつつ、上記貝殻・珊瑚製の接触材２８に付着した状態で生息する微生物により、上記処理水中の汚泥成分が分解処理される。
【００２４】
上記第４浄化処理室１９において浄化処理された処理水は、その下端部から第５浄化処理室２０に導出される。この第５浄化処理室（沈殿濾過室）２０は、多孔質体からなるゼオライトが収容された濾過体３０を有し、上記第４浄化処理室１９から導出された処理水中の不純物を沈殿させて汚水と上澄み水とに分離するとともに、この上澄み水中の微細な不純物を上記濾過体３０により濾過して浄化水を生成するように構成されている。上記第５浄化処理室２０において生成された浄化水は、上記浄化水貯留室２１内にオーバフローして供給される。
【００２５】
また、上記浄化水貯留室２１には、例えば布材等からなる袋体内に石炭系の活性炭が充填された活性炭収容体３１が配設されるとともに、上記循環ポンプ５により浄化水貯留室２１内の処理水が吸引されて上記活性炭収容体３１の下方部に吐出され、活性炭収容体３１内の石炭系活性炭により上記処理水中の色素成分が吸着されて効果的に脱色されるようになっている。
【００２６】
上記浄化水貯留室２１において脱色処理された浄化水は、その一部が上記給水ポンプ６および給水パイプ３２を有する給水手段によりトイレルーム１２内の給水タンク３３等に供給されて便器９，１０用に給水されるとともに、残りが、導出管３４を介して上記余剰水貯留槽１３に導出されて貯留される。この余剰水貯留槽１３は、その容量が第１〜第３浄化処理室１６〜１８の総容量に略等しい値に設定されている。
【００２７】
上記汚水浄化槽３の最上流部に設けられた第１浄化処理室１６と、その下流側に位置する第２，第３浄化処理室１７，１８と、第４，第５浄化処理室１９，２０とは、汚水浄化槽３の側面下部に設置されるとともに、図１および図２に示すように、第１コンテナ１の外方に導出された還流管３５を介して互いに接続されている。この還流管３５には、第１，第２開閉弁３６，３７が設けられ、第１開閉弁３６を開放することにより、上記第１浄化処理室１６と、第２浄化処理室１７および第３浄化処理室１８とが連通状態となる。また、上記第１開閉弁３６を開放状態に維持しつつ、第２開閉弁３７を開放状態とすることにより、上記第１浄化処理室１６と、第４浄化処理室１９および第５浄化処理室２０とが連通状態となるように構成されている。
【００２８】
上記汚水浄化槽３の上部には、メインテナンス用開口部４０〜４４が形成され、このメインテナンス用開口部４０〜４４は、通常時に閉止蓋によって閉止されている。上記第１浄化処理室１６の上部に形成されたメインテナンス用開口部４０は、後述するように吸引手段の吸引ホースが挿入される吸引口として利用されるものである。上記第１コンテナ１の天井部１ａには、開閉蓋４５が上記メインテナンス用開口部４０の設置部に対応する位置に形成されている。
【００２９】
また、上記コンテナ式汚水浄化システムには、余剰水貯留槽１３に貯留された余剰水を、洗浄水として第１浄化処理室１６内に供給することにより、この第１浄化処理室１６の内壁面を洗浄するための余剰水供給ポンプ４６および余剰水供給パイプ４７を有する余剰水供給手段４８が、第１コンテナ１と第２コンテナ２とを接続するように設けられている。なお、図２において、符号４９は、第１コンテナ１のベースプレートと第２コンテナ２のベースプレートとを連結する連結部材である。
【００３０】
上記コンテナ式汚水浄化システムの設置方法について以下に説明する。まず、工場において上記汚水浄化槽３および余剰水貯留槽１３等を製造し、これらを第１，第２コンテナ２内に設置するとともに、上記架台７上に給水ポンプ６等の付属機器を設置し、かつ上記トイレルーム内に便器９等を設置する。また、第１，第２コンテナ１，２内における必要な配管作業を行った後、上記第１，第２コンテナ２内に発泡プラスチック材８を注入することにより、第１コンテナ１の内壁面と汚水浄化槽３の周壁面との間に形成された空隙部に発泡プラスチック材８を充填するとともに、上記第２コンテナ２の内壁面と余剰水貯留槽１３の周壁面との間に形成された空隙部に上記発泡プラスチック材１５を充填する。
【００３１】
上記各部材が配設された第１，第２コンテナ２等を船舶または航空機により集積地に輸送した後、搬送用車両５１に積み替えて、図５および図６に示すように設置場所に搬送する。この際に、上記第１，第２コンテナ１，２は、輸送および搬送等に適した形状および大きさに形成されるとともに、内部に設置された汚水浄化槽３および余剰水貯留槽１３等を保護し得る強度および構造を有しているため、上記輸送作業等を容易かつ安全に行うことができる。
【００３２】
そして、上記搬送用車両５１から降ろした第１，第２コンテナ２を平坦な地盤上等に載置してその設置作業を行うとともに、上記第１，第２コンテナ２の外部における配管作業を行うことにより、上記コンテナ式汚水浄化システムが構成されることになる。上記配管作業としては、トイレルーム１２の汚水タンク１２ａと汚水浄化槽３の第１浄化処理室１６とを排出管２２で連結する作業、給水手段の給水パイプ３２をトイレルーム１２の給水タンク３３に接続する作業、汚水浄化槽３の浄化水貯留室２１と余剰水貯留槽１３とを導出管３４で連結する作業、第１コンテナ１の外方において上記還流管３５を設置する作業および余剰水供給手段４８の余剰水供給パイプ４７を汚水浄化槽３のメインテナンス用開口部４０に設置する作業等がある。
【００３３】
上記のようにして設置されたコンテナ式汚水浄化システムが使用され、第２コンテナ２のトイレルーム１２に設けられた便器９，１０および洗面台１１から排出された汚水が上記トイレルーム１２内の汚水タンク１２ａに貯留され、この汚水タンク１２ａ内の汚水貯留量が一定値以上となった時点で、上記排出管２２に設けられた移送ポンプ２２ａが作動状態となることにより、上記排出管２２を介して汚水浄化槽３の第１浄化処理室１６に上記汚水が移送される。
【００３４】
上記第１浄化処理室１６に移送された汚水は、この第１浄化処理室１６内おいて紙および粗大異物等の汚泥成分が沈殿分離される等により処理された後、第２浄化処理室１７内に導入される。この第２浄化処理室１７内に導入された処理水は、その汚泥成分が微生物の働きで分解される等により処理されるとともに、第３浄化処理室（沈殿室）１８に導入されて沈殿処理された後、上記第４浄化処理室（接触濾過室）１９および第５浄化処理室（沈殿濾過室）２０を経て浄化水貯留室２１内に導入されて貯留される。この浄化水貯留室２１内に貯留された浄化水は、上記給水ポンプ６および給水パイプ３２を有する給水手段により、トイレルーム１２の給水タンク３３等に供給されて再利用されるとともに、上記余剰水貯留槽１３に導出されて貯留される。
【００３５】
そして、災害の発生地または野外演奏会等のイベント開催地等において一時的に設置された上記コンテナ式汚水浄化システムを撤去する際、または公園等において定常的に設置されたコンテナ式汚水浄化システムを定期点検する際または補修する際等には、第１コンテナ１の開閉蓋４５および汚水浄化槽３の上面に設けられた最上流部のメインテナンス用開口部４０を開放した状態で、このメインテナンス用開口部４０に、バキュームカー等に設けられた吸引手段の吸引ホースを挿入し、上記第１浄化処理室１６内の汚水を吸引して外部に導出する。
【００３６】
また、上記還流管３５に設けられた第１，第２開閉弁３６，３７を順次開放した状態で、第１浄化処理室１６内に導入された処理水を吸引して外部に導出する作業を継続することにより、第２〜第４浄化処理室１７〜１９および第５浄化処理室２０内から上記還流管３５を介して第１浄化処理室１６内に還流された処理水を順次外部に導出する。さらに、上記余剰水供給手段４８から供給される余剰水により第１浄化処理室１６の内壁面に付着した汚泥成分等を除去するとともに、第１浄化処理室１６および第２，第３浄化処理室１７，１８内に上記余剰水を充填することにより、この余剰水を利用して上記各浄化処理室１６〜１８の内壁面を洗浄しつつ、各浄化処理室１６〜１８等に対する張水を行う。
【００３７】
このようにして汚水浄化槽３の上端部に形成されたメインテナンス用開口部４０〜４４に上記吸引ホースを順番に挿入してそれぞれ個別に内部の汚水または処理水を外部に導出する等の繁雑な作業を要することなく、各浄化処理室１６〜２０の内部を迅速かつ容易に空にした状態で、災害の発生地または野外演奏会等のイベント開催地等において一時的に設置された上記コンテナ式汚水浄化システムを撤去する作業、または公園等において定常的に設置された公衆トイレ用のコンテナ式汚水浄化システムを定期点検する作業および補修する作業等を容易かつ適正に行うことが可能となる。
【００３８】
なお、上記汚水浄化槽３の上面最上流部に設けられたメインテナンス用開口部４０以外の開口部４１〜４４を利用して汚水浄化槽３内の点検および清掃作業等を行う場合には、上記第１コンテナ１の天井部１ａを開放状態とすることにより、上記開口部４１〜４４に設けられた閉止蓋を開放することが可能となるため、この開口部４１〜４４を介して汚水浄化槽３の内部の点検および清掃作業等を行うことができる。
【００３９】
上記のようにトイレルーム１２等から排出された汚水を段階的に浄化する複数の浄化処理室１６〜２０等を備えた汚水浄化槽３と、この汚水浄化槽３を収容する第１コンテナ１とを有するコンテナ式汚水浄化システムにおいて、この第１コンテナ１の内壁面と上記汚水浄化槽３の周壁面との間に形成された空隙部に発泡プラスチック材８を充填した構成によれば、上記コンテナ式汚水浄化システムの搬送および設置作業等を容易に行うことができるとともに、簡単な構成で優れた耐久性が得られるという利点がある。
【００４０】
すなわち、工場で製造された汚水浄化槽３を上記第１コンテナ１内に配設してその周囲を上記発泡プラスチック材８で覆うように構成した後に、上記汚水浄化槽３を第１コンテナ１内に設置した状態で、これを搬送用車両５１または船舶等により設置現場まで搬送する際に、上記発泡プラスチック材８の緩衝作用により上記汚水浄化槽３およびこれに付属する配管類等からなる種々の付属機器が破損するのを効果的に防止できるため、上記搬送および設置作業を容易に行うことができる。しかも、上記汚水浄化槽３が配設された第１コンテナ１を地上に載置するだけで、上記コンテナ式汚水浄化システムを簡単に構築することができるとともに、上記第１コンテナ１の保護作用により汚水浄化槽３に錆等が発生のを効果的に防止できるため、優れた耐久性が得られるという利点がある。
【００４１】
また、上記実施形態では、ブロア４、循環ポンプ５および給水ポンプ６等からなる汚水浄化システムの付属機器を、第１コンテナ１の内部に設けられた架台７上に設置するとともに、この架台７の設置高さを上記発泡プラスチック材８の充填高さよりも高く設定し、第１コンテナ１内に発泡プラスチック材８を注入する際に、この発泡プラスチック材８が上記付属機器の設置部に進入するのを上記架台７からなる規制部材により規制するように構成したため、上記発泡プラスチック材８の注入時に、上記付属機器の設置部を被覆材で覆う等の繁雑な作業を要することなく、この付属機器に発泡プラスチック材８が付着するのを効果的に防止できるという利点がある。
【００４２】
なお、上記実施形態では、第１コンテナ１内に設置された汚水浄化槽３の下方部のみが上記発泡プラスチック材８で覆われるようにその充填量を設定した例について説明したが、これに限らず、発泡プラスチック材８の充填量を種々の値に変更可能である。例えば、図７に示すように、上記汚水浄化槽３の上面に形成されたメインテナンス用開口部４０〜４４の設置部と略同一高さまで発泡プラスチック材８を充填するように構成してもよい。
【００４３】
この場合、第１コンテナ１内における上記汚水浄化槽３の設置部と、給水ポンプ６等からなる付属機器の設置部とを区画する区画壁５２を設置し、この区画壁５２からなる規制部材により上記第１コンテナ１内に充填された発泡プラスチック材８が上記付属機器の設置部に進入するのを規制することが好ましい。上記のように構成した場合には、第１コンテナ１および発泡プラスチック材８からなる被覆層の両方により上記汚水浄化槽３の略全体を保護することができるため、この汚水浄化槽３に錆等が発生するのを、より効果的に防止し、かつ優れた保温性が得られるという利点がある。
【００４４】
なお、上記実施形態に示すように、汚水浄化槽３の上面に形成されたメインテナンス用開口部４０〜４４の設置部と略同一高さまで発泡プラスチック材８を充填した場合には、この発泡プラスチック材８だけでも上記汚水浄化槽３を保護することができるため、第１コンテナ１の天井部１ａを省略した構造とすることも可能である。このように構成した場合には、上記発泡プラスチック材８の充填部の上面部を歩行することも可能であるとともに、上記メインテナンス用開口部４０〜４４に設けられた閉止蓋を取り外して汚水浄化槽３の内部を点検・補修する作業等を容易に行うことができるという利点がある。
【００４５】
また、上記実施形態では、第２コンテナ２内に、便器９，１０および洗面台１１が設置されたトイレルーム１２と、上記汚水浄化槽３において浄化処理された浄化水を貯留する余剰水貯留槽１３とを配設するとともに、上記トイレルーム１２と余剰水貯留槽１３の設置部とを区画壁１４により区画し、かつこの区画壁１４により区画された上記余剰水貯留槽１３の設置部内に発泡プラスチック材１５を注入することにより、上記第２コンテナ２の内壁面と余剰水貯留槽１３の周壁面との間に形成された空隙部に上記発泡プラスチック材１５を充填したため、上記トイレルーム１２および余剰水貯留槽１３を有するコンテナ式汚水浄化システムの搬送および設置作業等を容易に行うことができる等の利点がある。
【００４６】
すなわち、上記第１，第２コンテナ２を適当な間隔を持って設置するとともに、その必要個所を連結するように配管作業を行うことにより、トイレルーム１２から排出された汚水を段階的に浄化する複数の浄化処理室１６〜２０および浄化処理された浄化水を貯留する浄化水貯留室２１を備えた汚水浄化槽３と、この汚水浄化槽３とは別体に形成されるとともに、汚水浄化槽３の浄化水貯留室２１から導出された浄化水を貯留する余剰水貯留槽１３とを備えたコンテナ式汚水浄化システムを容易に構築することができる。
【００４７】
そして、上記トイレルーム１２から排出管２２を介して導出された汚水中の紙および粗大異物等の汚泥成分を第１浄化処理室１６において沈殿分離した後に、この第１浄化処理室１６から第２〜第４浄化処理室１７〜１９および第５浄化処理室２０に順次導出された処理水中の汚泥成分を微生物の作用等により段階的に浄化した状態で、この浄化水を上記浄化水貯留室２１および余剰水貯留槽１３内にそれぞれ導出して貯留することにより、その有効利用を図ることができる。したがって、水を確保することが困難な砂漠地帯等においても、上記コンテナ式汚水浄化システムを使用できるとともに、不純物が混入した汚水が外部に放流されるのを防止して環境保護を図ることができる等の利点がある。
【００４８】
また、図８および図９に示すように、第１，第２コンテナ１，２を構成する天井部１ａ，２ａを起伏可能に設置するとともに、その上面部に太陽電池を有するソーラーパネル５３を設けた構造としてもよい。この構造によれば上記ソーラーパネル５３が設置される天井部１ａ，２ａの傾斜角度を太陽光の入射角度に対応させて変更可能に構成した場合には、太陽電池の発電効率を効果的に向上させることができる。そして、地震等からなる災害の発生時または商用電力の供給施設がない地域においても、上記ソーラーパネル５３により得られた電力を利用して上記ブロア４、循環ポンプ５および給水ポンプ６等からなる汚水浄化システムの付属機器を作動させることができる。
【００４９】
さらに、図１０に示すように、第１，第２コンテナ１，２の四隅に設けられた支柱５４の上部に風力発電設備５５を設けた構造としてもよく、この場合には、上記第１，第２コンテナ１，２の重量および強度を利用することにより、煩雑な基礎工事等を必要とすることなく、上記風力発電設備５５を設置することができ、上記ブロア４、循環ポンプ５および給水ポンプ６等を作動させるために必要な電力が得られるという利点がある。
【００５０】
なお、上記汚水浄化槽３および余剰水貯留槽１３等の具体的構造または配設個所等は、上記実施形態に限定されることなく種々の変形が可能である。例えば、上記実施形態では、第１〜第５浄化処理室１６〜２０および浄化水貯留室２１を一体化することにより上記汚水浄化槽３を構成しているが、第１〜第５浄化処理室１６〜２０および浄化水貯留室２１を複数の分割し、これらを別々のコンテナに配設した構造としてもよい、あるいは上記汚水浄化槽３と余剰水貯留槽１３とを一体に連結してこれらを一つのコンテナ内に配設した構造としてもよい。
【図面の簡単な説明】
【００５１】
【図１】本発明に係るコンテナ式汚水浄化システムの実施形態を示す平面断面図である。
【図２】上記コンテナ式汚水浄化システムの側面断面図である。
【図３】第１コンテナの内部構造を示す側面断面図である。
【図４】汚水浄化槽および余剰水貯留槽の内部構造を示す断面図である。
【図５】上記コンテナ式汚水浄化システムの設置過程を示す斜視図である。
【図６】上記コンテナ式汚水浄化システムの設置状態を示す斜視図である。
【図７】本発明に係るコンテナ式汚水浄化システムの別の実施形態を示す図３相当図である。
【図８】本発明に係るコンテナ式汚水浄化システムのさらに別の実施形態を示す側面図である。
【図９】上記コンテナ式汚水浄化システムの設置状態を示す斜視図である。
【図１０】本発明に係るコンテナ式汚水浄化システムのさらに別の実施形態を示す斜視図である。
【符号の説明】
【００５２】
１，２  コンテナ
３  汚水浄化槽
７  架台（規制部材）
８，１５  発泡プラスチック材
１２  トイレルーム
１６〜２０  浄化処理室
４０〜４４  メインテナンス用開口部
５２  区画壁（規制部材）
５３  ソーラーパネル
５４  支柱
５５  風力発電施設
【図１】
2008289969.tif 000003
【図２】
2008289969.tif 000004
【図３】
2008289969.tif 000005
【図４】
2008289969.tif 000006
【図５】
2008289969.tif 000007
【図６】
2008289969.tif 000008
【図７】
2008289969.tif 000009
【図８】
2008289969.tif 000010
【図９】
2008289969.tif 000011
【図１０】
2008289969.tif 000012